(57)【要約】      （修正有）【課題】ヨーヨーのリム/本体部分の取り外しを容易にした簡易な固定方法とし、ヨーヨーが面または物にぶつかる場合に、ハブ部分、および/または、リム/本体部分を、その場で維持するために十分にしっかりと固定できるヨーヨーを提供する。【解決手段】テザー６が固定される中央軸をはさむ２つの側部部分は、好ましくは、取り外し可能なディスク形状のリム部材を５０含む。１セットの取替え可能なリム部材５０を別のものと取り替えることによって、ユーザは、すぐ容易に、ヨーヨー１の形状、外観、および/または、機能性を変更することができる。リム部材５０を取り替えるために、リム部材５０をねじって、タブ６０が開口部と一直線上に並ぶまでリム部材５０に取り付けられた多数のタブ６０をハブの溝中を滑らせる。次に、リム部材５０をヨーヨー１から外すことができる。【選択図】図６
2010284533.tif 000002
【特許請求の範囲】
【請求項１】
軸構造によって間隔をあけて離れた状態で一体とされている第１側部部分と第２側部分と、
前記軸構造の一部に取り付けられたテザーと、
を備え、
前記第１側部部分は、第１主要部分と第２主要部分とを含み、
前記主要部分の一方は、少なくとも１つのタブ部分を含み、前記主要部分の他方は、前記タブ部分を収容可能な溝を有しており、
前記主要部分の一方は、前記主要部分の一方を前記主要部分の他方に取り付けるとき、前記溝に隣接するように前記タブ部分を配置し、次に、前記主要部分の他方に対して前記主要部分の一方を第１方向へと回転させ、それにより前記タブ部分を前記溝に収容させることで、前記主要部分の他方に取り外し可能に取り付けられることを特徴とするヨーヨー。
【請求項２】
前記第１側部部分には、前記タブ部分が前記溝に収容された状態で、前記主要部分の他方に対する前記主要部分の一方が、前記第１方向とは反対の第２方向へ回転するのを防止可能な固定装置が設けられていることを特徴とする請求項１に記載のヨーヨー。
【請求項３】
前記固定装置は、複数の歯を持つ歯車と、前記歯車と適切に連結された押しボタンと、前記タブ部分に配置された複数の歯とを有し、
前記タブ部分の歯が前記歯車の歯と係合し、前記歯車は、前記押しボタンの位置に依存して、回転可能、または、回転不能となることを特徴とする請求項２に記載のヨーヨー。
【請求項４】
前記押しボタンは、前記第１側部部分に対して回転不可能に取り付けられており、
前記固定装置は、回転可能な主歯車を有し、
当該主歯車は、前記歯車と係合する第１の歯のセットと、前記押しボタンに設けられた歯のセットと係合可能な第２の歯のセットとを有し、
前記押しボタンは、当該押しボタンに設けられた歯のセットが前記第２の歯のセットと係合するようにバネによって付勢されており、
当該押しボタンの歯のセットは、前記第２の歯のセットと係合することにより前記主歯車の一方への回転を阻止しており、
前記押しボタンが押されると、前記押しボタンの歯のセットと前記主歯車の第２の歯のセットとの係合が解除され、前記主歯車の一方への回転が可能となることで、前記第１の歯のセットと係合している前記歯車が回転可能となることを特徴とする請求項３に記載のヨーヨー。
【請求項５】
前記固定装置は、前記第１主要部分と第２主要部分のうちのいずれか一方と接触可能な押しボタンを有し、前記押しボタンは、複数の歯を有し、
前記押しボタンと接触する前記主要部分は、
前記押しボタンが第１位置にある場合に前記押しボタンの前記歯に係合することができる複数の歯を有し、
前記押しボタンが第２位置に動かされると、前記押しボタンの歯が、前記押しボタンと接触する主要部分の歯から外れることを特徴とする請求項２に記載のヨーヨー。
【請求項６】
前記溝には前記タブ部分が通過可能な開口部が設けられており、前記主要部分の他方から前記主要部分の一方を取り外すとき、前記タブ部分が前記開口部中に配置されて前記開口部を通過できるようになるまで前記主要部分同士を前記第１方向とは反対の第２方向へと回転させることにより、前記主要部分の一方を前記主要部分の他方から取り外し可能であり、かつ、
前記第１側部部分に取り付け可能な固定リングを有し、当該固定リングは、当該固定リングを前記第１側部部分に取り付けるとき前記開口部に収容され、前記タブ部分が前記開口部を通って前記溝から出ることを防止する追従タブを有することを特徴とする請求項１に記載のヨーヨー。
【請求項７】
前記第１側部部分は、前記固定リングと係合可能な、少なくとも１つの固定リング用固定タブを含むことを特徴とする請求項６に記載のヨーヨー。
【請求項８】
前記少なくとも１つの固定リング用固定タブは、前記タブ部分からオフセットされていることを特徴とする請求項７に記載のヨーヨー。
【請求項９】
前記固定リングは、前記固定リング用固定タブが少なくとも部分的に収容されるスロットを持つことを特徴とする請求項７又は８に記載のヨーヨー。
【請求項１０】
前記側部部分のそれぞれは、ユーザが前記ヨーヨーを前記ユーザの手に戻そうとするとき、前記テザーと簡単に係合するように適合されたテザーに対面する表面を持つことを特徴とする請求項１乃至９のうちのいずれか１項に記載のヨーヨー。
【請求項１１】
前記側部部分の少なくとも１つは、前記第１主要部分と第２主要部分のうちのいずれか一方に移動可能に取り付けられたシャトル部材を持ち、前記シャトル部材は、前記テザーと対面する表面を持ち、ユーザが前記ヨーヨーを前記ユーザの手に戻そうとするとき、前記テザーと係合することを特徴とする請求項１乃至９のうちのいずれか１項に記載のヨーヨー。
【請求項１２】
前記第１主要部分と第２主要部分のうちのいずれか一方はリム部材であり、他方はハブ部材であることを特徴とする請求項１乃至１１のうちのいずれか１項に記載のヨーヨー。
【請求項１３】
前記リム部材は、可撓性材料で作製されていることを特徴とする請求項１２に記載のヨーヨー。
【請求項１４】
前記リム部材は、硬く、実質的に非可撓性の材料で作製されていることを特徴とする請求項１２に記載のヨーヨー。
【請求項１５】
ユーザは、前記側部部分のリム部材を取り外し、前記取り外したリム部材と異なる形状のリム部材を代わりに設置することによって、前記第１の側部部分の形状を変えられることを特徴とする請求項１３または１４に記載のヨーヨー。
【請求項１６】
前記ハブ部分は、前記軸構造に取り外し可能に取り付けられていることを特徴とする請求項１２乃至１５のうちのいずれか１項に記載のヨーヨー。
【請求項１７】
前記第２側部部分は、実質的に前記第１側部部分と同じであることを特徴とする請求項１乃至１６のうちのいずれか１項に記載のヨーヨー。
【請求項１８】
前記第２側部部分は、前記第１の側部部分と実質的に異なっていることを特徴とする請求項１乃至１６のうちのいずれか１項に記載のヨーヨー。
【発明の詳細な説明】
【技術分野】
【０００１】
本発明は、ヨーヨーに関する。
【背景技術】
【０００２】
多くのヨーヨーは、２つのディスク形状の側部部分が、何らかの軸構造の形態によって互いに固く接続された形態である。側部部分は、通常は、単一構造物であり、リム部材は、ハブの連続して外へ向かう延長部分の形態である。ヨーヨーの側部部分の材料は、通常は、プラスチック、金属または木を含む。軸構造は、両方の側部部分の中央に固定されており、複数のパーツのアセンブリであるか、または、単に合わせくぎまたはリベット留めのピン形態であるかもしれない。多くの現代のヨーヨーでは、軸構造は、中央に配置されたスプール、ベアリングまたは他の部材を含み、細長い軸のピンに固定されており、かつ細長い軸のピン上で回転可能である。
【０００３】
また、軸構造は、ひも型テザーの片端部のための固定部を形成する。テザーの端部に配置されたループ部分は、軸構造の中央部分を取り囲むように配置される。通常、テザーの自由端部は、ユーザの指の１つの周りに配置され、それにより、ユーザの手にヨーヨーを固定することができる第２のループ部分を生み出すように結ばれる。
【０００４】
テザーが軸構造の周りに巻き付けられ、ヨーヨーが、ユーザの手から放されるか、または投げられるとき、ヨーヨーは、ユーザの手から遠くへ移動し、テザーが軸構造からほどけるので、ヨーヨーは急速に回転し始めるだろう。テザーがいったん完全にほどけると、ヨーヨーは、テザーの端部で「スリープ」し、それにより、ヨーヨーの側部部分は、軸構造上でテザーが巻き戻ること無く回転し続けるかもしれない。ヨーヨーがいったん「スリープ」すると、ユーザは回転しているヨーヨーで多くのトリック、例えば、「犬の散歩」を演じることができる。また、「スリープ」しているヨーヨーは、トリックを演じるためにしばしば使用される。トリックは、テザーの２つの端部の中間部の上で一時的に回転しているヨーヨーを配置するものを含む。
【０００５】
ユーザは、たいていのヨーヨーのトリックの完了時に、テザー上で迅速かつ強い引きを行うであろう。これは、テザーの瞬時の緊張をもたらし、次に、自動的に、テザーの一時的な緩みを伴う。テザーがいったん緩むと、テザーのねじれが、軸構造に最も近く配置されたテザーの一部分またはそれ以上の部分を動かして、それにより、ヨーヨーの回転部分と接触させる。接触がいったん起こると、ヨーヨーの回転部分の回転がテザーを軸構造の周囲に巻き付ける方法で、テザー部分は、ヨーヨーの回転部分に固定される。軸構造へのテザーの巻き付により、ヨーヨーはユーザの手に戻る。
【０００６】
長年にわたり、ヨーヨーの側部部分には多くの様々な形状が採用されてきた。伝統的なヨーヨーは、通常は、実質的に平らな側部部分を特徴とし、側部部分は、回転時間と安定性を増加する改良された重量分布を提供するために、リム領域にふくらみ（bulge）を有するだろう。蝶状ヨーヨーは、側部部分を特徴とし、側部部分は、ヨーヨーの中心から離れて外側に延びており、それにより、ヨーヨーの幅が増加して、断面図で見るとヨーヨーに蝶形状を与える。
【０００７】
また、ヨーヨーの側部部分のそれぞれのリム部材に、様々な材料を使用することが知られている。例えば、たいていのヨーヨーは、硬質プラスチック材料で作られたリム部材を持つが、リム材料として、または、ヨーヨーの側部部分のそれぞれの周囲に配置されるＯ−リングの形態でゴムを使用することが知られている。
【０００８】
ヨーヨーの側部部分に使用する様々な形状と材料は、ヨーヨーの外観を特有なものにするばかりではなく、ヨーヨーの性能にも影響を与える。例えば、ヨーヨーでルーピングトリックを行うユーザは、通常は、実質的に平らな側部部分を持つ伝統的形状のヨーヨーを好むだろう。そのような形状は、ルーピングに最適である。なぜなら、重量分布がヨーヨー上のテザーの取付ポイントに近く、それにより、各ルーピングの間、ヨーヨーを比較的容易に裏返すことができるからである。ユーザが、回転しているヨーヨーをテザーの中間部でつかまえようとするヨーヨーのトリックにおいて、蝶形状のヨーヨーは好まれる。２つの側部部分の間隔をより広くあけて離すと、ヨーヨーの安定性が改良され、それにより、ヨーヨーがテザーを傾ける傾向が減る。また、蝶形状のヨーヨーのスタンスは広いので、ユーザがテザーの中間部上にヨーヨーを着陸させることを容易にする。
【０００９】
また、ヨーヨーの側部部分の重さと空気力学は、「スリープ」の時間を延ばすためのヨーヨーの能力に影響を与えるかもしれない。より重いヨーヨーがより長い時間だけ回転できることは、周知である。回転部分が重くなると、ヨーヨーの回転運動量が増加するからである。また、ヨーヨーの回転部分の空気力学的な抗力、側部部分の形状と表面輪郭の機能は、「スリープ」の時間に影響を与え得る。抗力が低ければ、ヨーヨーがより長い間だけ「スリープ」することが可能になるからである。
【００１０】
また、ヨーヨーの側部部分の特性は、ユーザの操作に応じてヨーヨーが戻る能力に影響を与えることができる。ユーザの操作に応じてヨーヨーが戻る能力は、ヨーヨーの回転部分に固定されるようになるテザーに依存する。ヨーヨーの重さが、ユーザの操作に応じて戻るヨーヨーの能力に影響を与えることは、周知である。ヨーヨーが重いほど回転運動量が大きくなるからである。テザーが緩んで、ヨーヨーの回転部分を係合するとき、ヨーヨーの回転運動量が大きければ大きいほど、テザーをヨーヨーの回転部分に固定させるのに必要な係合力が大きくなる。言い換えれば、ヨーヨーのテザーと回転部分との間の簡単にかすめる接触で発生する摩擦は、軽いヨーヨーを戻させるのには十分であるかもしれない。しかしながら、より重いヨーヨーに対して発生する摩擦が、回転部分上にテザーを固定させるには不十分である場合には、同じ接触は回転部分上でのテザーの滑りだけをもたらすかもしれない。
【００１１】
また、ヨーヨーの側部部分のハブまたは中心部の特性は、ヨーヨーの性能に大いに影響を与え得る。例えば、ヨーヨーの側部部分のハブ部分は、通常は、テザーに対面する表面上の係合を増すことを特徴とするだろう。また、ヨーヨーのハブ部分の少なくとも１つに、自動戻し機構を含むヨーヨーが作られている。自動戻し機構は、通常は、ヨーヨーが急速に回転しているとき、自由に回転させ、次に、ヨーヨーが減速すると、側部部分に固定されるようにする、複数の遠心力／求心力を利用して作動する部材を含む。ヨーヨーのテザーは、いったん固定されると、軸部分の周囲に巻き付いて、それにより、ヨーヨーをユーザの手に戻すだろう。
【００１２】
異なる形状、および/または材料、および/または、重さの側部部分、または、異なる特徴を含むハブ部分を持つ側部部分の使用を通して提供される異なるヨーヨーの性能特性の利点を得るために、多くの経験豊富なヨーヨープレーヤーは、さまざまな異なったヨーヨーを所有するだろう。このことは、プレーヤーが自分のコレクションからプレーヤーの演じたい特定のトリックに最もよく機能するヨーヨーを選ぶことを可能にする。しかしながら、多くのヨーヨーを買って維持するのに含まれるコストはかなりのものであり得る。さらに、多くのヨーヨーを輸送することは、厄介なものであり、通常は、ヨーヨー運搬のために特に適合された、高価でかさばる輸送ケースを使用しなければならない。
【００１３】
また、交換可能なハブ部分とリム/本体部分を使ういくつかの先行技術のヨーヨーがあった。例えば、競技種目または技術レベルにあわせて、ヨーヨー玩具の外枠と重さを交換して、形状や重さを変えることができるヨーヨー玩具が知られている（特許文献１参照）。また、円筒状の２つの芯体を軸で接続したヨーヨー玩具において、芯体に着脱可能な外嵌部品を取り付け、この外嵌部品を交換することで自分好みに変更できるヨーヨー玩具が知られている（特許文献２参照）。
【先行技術文献】
【特許文献】
【００１４】
【特許文献１】特開平１１−１３７８５９号公報
【特許文献２】特開２００３−１３５８５９号公報
【発明の概要】
【発明が解決しようとする課題】
【００１５】
しかしながら、先行技術のヨーヨーは、リム/本体部分は、取り外しが難しく、および/または、複雑な固定方法を必要とし、および/または、リム/本体部分は、ヨーヨーが面または物にぶつかる場合に、ハブ部分、および/または、リム/本体部分を、その場で維持するために十分にしっかりした固定が不足している。
【課題を解決するための手段】
【００１６】
本発明に係るヨーヨーは、軸構造によって間隔をあけて離れた状態で一体とされている第１側部部分と第２側部分と、前記軸構造の一部に取り付けられたテザーと、を備え、前記第１側部部分は、第１主要部分と第２主要部分とを含み、前記主要部分の一方は、少なくとも１つのタブ部分を含み、前記主要部分の他方は、前記タブ部分を収容可能な溝を有しており、前記主要部分の一方は、前記主要部分の一方を前記主要部分の他方に取り付けるとき、前記溝に隣接するように前記タブ部分を配置し、次に、前記主要部分の他方に対して前記主要部分の一方を第１方向へと回転させ、それにより前記タブ部分を前記溝に収容させることで、前記主要部分の他方に取り外し可能に取り付けられる、ことを特徴とする。
【００１７】
また、本発明に係るヨーヨーにおいては、前記第１側部部分には、前記タブ部分が前記溝に収容された状態で、前記主要部分の他方に対する前記主要部分の一方が前記第１方向とは反対の第２方向へ回転するのを防止可能な固定装置が設けられていても良い。
【００１８】
また、本発明に係るヨーヨーにおいては、前記固定装置は、複数の歯を持つ歯車と、前記歯車と適切に連結された押しボタンと、前記タブ部分に配置された複数の歯とを有し、前記タブ部分の歯が前記歯車の歯と係合し、前記歯車は、前記押しボタンの位置に依存して、回転可能、または、回転不能となっていても良い。
【００１９】
また、本発明に係るヨーヨーにおいては、前記押しボタンは前記第１側部部分に対して回転不可能に取り付けられており、前記固定装置は、回転可能な主歯車を有し、当該主歯車は、前記歯車と係合する第１の歯のセットと、前記押しボタンに設けられた歯のセットと係合可能な第２の歯のセットとを有し、前記押しボタンは、当該押しボタンに設けられた歯のセットが前記第２の歯のセットと係合するようにバネによって付勢されており、当該押しボタンの歯のセットは、前記第２の歯のセットと係合することにより前記主歯車の一方への回転を阻止しており、前記押しボタンが押されると、前記押しボタンの歯のセットと前記主歯車の第２の歯のセットとの係合が解除され、前記主歯車の一方への回転が可能となることで、前記第１の歯のセットと係合している前記歯車が回転可能となっていても良い。
【００２０】
また、本発明に係るヨーヨーにおいては、前記固定装置は、前記第１主要部分と第２主要部分のうちのいずれか一方と接触可能な押しボタンを有し、前記押しボタンは、複数の歯を有し、前記押しボタンと接触する前記主要部分は、前記押しボタンが第１位置にある場合に前記押しボタンの前記歯に係合することができる複数の歯を有し、前記押しボタンが第２位置に動かされると、前記押しボタンの歯が、前記押しボタンと接触する主要部分の歯から外れるようになっていても良い。
【００２１】
また、本発明に係るヨーヨーにおいては、前記溝には前記タブ部分が通過可能な開口部が設けられており、前記主要部分の他方から前記主要部分の一方を取り外すとき、前記タブ部分が前記開口部中に配置されて前記開口部を通過できるようになるまで前記主要部分同士を第１方向とは反対の第２方向へと回転させることにより、前記主要部分の一方を前記主要部分の他方から取り外し可能であり、かつ、前記第１側部部分に取り付け可能な固定リングを有し、当該固定リングは、当該固定リングを前記第１側部部分に取り付けたとき前記開口部に収容され、前記タブ部分が前記開口部を通って前記溝から出ることを防止する追従タブを有するようになっていても良い。
【００２２】
また、本発明に係るヨーヨーにおいては、前記第１側部部分は、前記固定リングと係合可能な、少なくとも１つの固定リング用固定タブを含むようになっていても良い。
【００２３】
また、本発明に係るヨーヨーにおいては、前記少なくとも１つの固定リング用固定タブは、前記タブ部分からオフセットされているようになっていても良い。
【００２４】
また、本発明に係るヨーヨーにおいては、前記固定リングは、前記固定リング用固定タブが少なくとも部分的に収容されるスロットを持つようになっていても良い。
【００２５】
また、本発明に係るヨーヨーにおいては、前記側部部分のそれぞれは、ユーザが前記ヨーヨーを前記ユーザの手に戻そうとするとき、前記テザーと簡単に係合するように適合されたテザーに対面する表面を持つようになっていても良い。
【００２６】
また、本発明に係るヨーヨーにおいては、前記側部部分の少なくとも１つは、前記第１主要部分と第２主要部分のいずれか一方に移動可能に取り付けられたシャトル部材を持ち、前記シャトル部材は、前記テザーと対面する表面を持ち、ユーザが前記ヨーヨーを前記ユーザの手に戻そうとするとき、前記テザーと係合するようになっていても良い。
【００２７】
また、本発明に係るヨーヨーにおいては、前記第１主要部分と第２主要部分のうちのいずれか一方はリム部材、他方はハブ部材であるようになっていても良い。
【００２８】
また、本発明に係るヨーヨーにおいては、本発明前記リム部材は、可撓性材料で作製されているようになっていても良い。
【００２９】
また、本発明に係るヨーヨーにおいては、前記リム部材は、硬く、実質的に非可撓性の材料で作製されているようになっていても良い。
【００３０】
また、本発明に係るヨーヨーにおいては、ユーザは、前記側部部分のリム部材を取り外し、前記取り外したリム部材と異なる形状のリム部材を代わりに設置することによって、前記第１の側部部分の形状を変えられるようになっていても良い。
【００３１】
また、本発明に係るヨーヨーにおいては、前記ハブ部分は、前記軸構造に取り外し可能に取り付けられているようになっていても良い。
【００３２】
また、本発明に係るヨーヨーにおいては、前記第２側部部分は、実質的に前記第１側部部分と同じであるようになっていても良い。
【００３３】
また、本発明に係るヨーヨーにおいては、前記第２側部部分は、前記第１の側部部分と実質的に異なっているようになっていても良い。
【発明の効果】
【００３４】
したがって、本発明は、ユーザによって容易に変更することができ、かつ確実に固定される側部部分を備えるヨーヨーである。側部部分を変更すると、異なるタイプのトリックに対してヨーヨーを最適化することができる。
【００３５】
本発明の更なる特徴は、添付の図面を参照する以下の例示の実施例の記載から明らかになるだろう。
【図面の簡単な説明】
【００３６】
【図１】本発明の第１実施例のヨーヨーの正面図である。
【図２】図１に示すヨーヨーの横断面図である。
【図３】図１に示すヨーヨーの左手部分を分解して示した正面図である。
【図４】図３の平面４−４で得られる図３に示される分解されたヨーヨーの横断面図である。
【図５】図１に示すヨーヨーの左手部分を分解して示した斜視図である。
【図６】図１の平面６−６で得られる図１に示すヨーヨーの側面図である。
【図７】本発明の第１実施例の代替形状を持つリム部材の斜視図である。
【図８】本発明の第２実施例のヨーヨーの正面図である。
【図９】図８に示すヨーヨーの横断面図である。
【図１０】図８に示すヨーヨーの左手部分を分解して示した正面図である。
【図１１】図１０に示すヨーヨーの第１の分解斜視図(約＋３０度の回転)である。
【図１２】図１０に示すヨーヨーの第２の分解斜視図(約−３０度の回転)である。
【図１３】図８に示すヨーヨーの右手部分を分解して示した正面図である。
【図１４】図１３に示すヨーヨーの第１の分解斜視図(約＋３０度の回転)である。
【図１５】図１３に示すヨーヨーの第２の分解斜視図(約−３０度の回転)である。
【図１６】図８に示すヨーヨーの第１の斜視図であり、ヨーヨーが約＋３０度回転し、本体部分がハブ部分から外された図である。
【図１７】図８に示すヨーヨーの分解斜視図である図１５と同様の分解斜視図であるが、ヨーヨーが約−３０度回転して得られる図である。
【図１８】図８に示すヨーヨーの左側面図であり、レンズ、主歯車、押しボタン、およびバネを取り外した図である。
【図１９】図８に示すヨーヨーの右側面図であり、レンズ、押しボタン、バネ、および上板を取り外した図である。
【図２０】本発明の第２実施例の変形のヨーヨーの正面図であり、本体部分がハブ部分から外された図である。
【発明を実施するための形態】
【００３７】
＜第１実施例＞
まず、図１〜７を詳細に参照すると、図中の同一符号は、同一パーツを示す。本発明の第１実施例のヨーヨーを符号１に示す。
【００３８】
ヨーヨー１は、第１側部部分２と第２側部部分２とを含む。第１側部部分２と第２側部部分２とは、好ましくは同一であり、軸構造４を介して接続されている。ひもタイプのテザー６は、軸構造の中央部分を取り囲むループ部分８を含む。テザーの遠位端部(図示せず)は、通常は、輪を作るために結んで、ユーザの指の１つに一時的に固定される。
【００３９】
軸構造４は、好ましくは、パーツ(図３、図４参照)の集合であり、車軸ピン１０と回転可能なスプール１２とを含んでいる。車軸ピン１０は、ヨーヨーの回転軸と共通の直線上の長手方向軸を持つ。スプール１２は、大きな直径の管状スペーサ１４上に回転可能にはめ込まれて、その中を車軸ピン１０が延びている。管状スペーサ１４の肩１５は、側部部分２と接触し、それにより、互いに間隔をあけて離れた状態で２つの側部部分２を保持するような大きさに設計されている。それぞれの側部部分２は、六角ナット１６を含む。六角ナット１６は、車軸ピン１０の各端部に配置された雄ねじ１８と螺合し、それにより、ヨーヨーを一体に固定するように設計されている。スプール１２の代わりに、他のタイプの回転可能なユニットまたは部材を使用することができることに注目すべきである。あるいはまた、スプール１２は、ヨーヨーのテザーを、管状スペーサ１４、または、車軸ピン１０若しくは側部部分を一体に接続する等価な構成物に固く固定された構造物に直接的に取り付ける場合には、無しですますことができる。
【００４０】
それぞれの側部部分２は、ハブ２０および各ハブ２０の周辺部に取り付けられるリム部材５０を含む。すなわち、側部部分２は、ハブ２０とリム部材５０という２つの主要部分を含んでいる。ハブ２０は、内側に面している内面２２、外側に面している外面２４、周辺部分２５、および、外側に延びているニップル部分２６を持つ。スルーボア（貫通穴）２８は、ハブ２０の中心を通って延びている。複数の半円状のカットアウト１００が周辺部分２５に配置されている。各カットアウト１００は、その近辺にあるハブ２０中の周辺溝１０２の一方の側壁に設けられた穴、または、切れ目である。別々の複数の周辺溝１０２を図示したが、代替として、ハブ２０の周辺部の周り全体に延びている１つの溝を使ってもよい、そこでは、開口部は、周辺溝の一方の側壁における切れ目を形成する。
【００４１】
好ましくは、ハブ２０は、硬質かまたは実質的に硬質のプラスチック材料で作られる。あるいはまた、ハブ２０は、金属、木、および、固いゴムを含む他の材料で作ることができ、また、ハブ２０は、硬い、および/または、堅くないパーツの複合物または集合物であり得る。
【００４２】
ハブ２０のスルーボア２８は、六角形形状のキャビティ３０に通じる。キャビティ３０は、六角ナット１６を固定して収容するように設計されている。六角ナット１６は、好ましくは、キャビティ３０の壁と締りばめを形成するような大きさに作られており、また好ましくは、ハブ２０中に圧入される。あるいはまた、他の形状や種類のナットを採用してもよいし、六角ナット１６を固定するための他の方法、例えば、接着剤あるいは超音波溶接などを使用する方法を採用してもよい。
【００４３】
取替え可能なリム部材５０は、各ハブ２０の周辺部に固定される。リム部材５０は、内側に面している内面５２、外側に面している外面５４、側部部分のリム５５を形成する丸い周囲領域、および、中央に配置されているスルーホール（貫通孔）５６を特徴とする。スルーホール５６は、ハブ２０のニップル部分２６の直径より大きな直径を持つ。また、取替え可能なリム部材５０は、少なくとも１つの半円状のハブ用固定タブ５８(図４と図５参照)を含み、固定タブ５８は、リム部材５０のスルーホール５６の領域に延設されている。好適な実施例では、リム部材５０は、固定タブを３つ含む。また、少なくとも１つの固定リング用固定タブ６０が、リム部材５０のスルーホール５６の領域に延設されている。好適な実施例では、３つの固定リング用固定タブ６０を使用し、各固定タブは、ハブ用固定タブ５８の１つからオフセットされた状態で使用される。リム部材５０が、等しい数のハブ用固定タブ５８と固定リング用固定タブ６０を持つことが好ましいが、等しくない数のハブ用固定タブ５８と固定リング用固定タブ６０を使用してもよい。
【００４４】
シャトル部材６４のアーム６３は、ハブ２０中の３つの開口部６２のそれぞれに適合している。シャトル部材６４のテザーに面する表面は、好ましくは、複数のリブ部材６８を含んでおり、当該複数のリブ部材６８は、ヨーヨーのテザーに向かって延び、かつ、ヨーヨーがスリープしているときに、ユーザがヨーヨーを自分の手に戻すように自分の手をぐいと動かすとき、テザーと側部部材の間が容易に係合するように機能することができる。ヨーヨーのテザー係合を容易にするような、表面における、他の既知の種類の改造、例えば、くぼみ、間隔をあけて配置されているパッド/突起物、および、高い摩擦係数を持つゴムなどの材料の使用は、リブ部材６８と協力して、またはリブ部材６８の代わりに使用してもよい。
【００４５】
シャトル部材６４のアーム６３は、ねじ山８０を含んでおり、当該ねじ山８０は、回転可能なナット部材８２の内部のねじ山８１と係合することができる。ナット部材８２は、自由に回転でき、波形ワッシャー８４によってハブ２０から間隔をあけて配置されている。この様に、ユーザによるナット部材８２の回転は、シャトル部材６４をテザーに向かう方向、または、離れる方向に移動させ、それにより、テザーがシャトル部材６４のリブ部材６８に係合するのを容易にする。ナット部材８２は、キャップ部材９０によってハブ２０に回転可能に固定され、キャップ部材９０は、ねじ９２によってハブ２０に固定される。
【００４６】
ユーザが裸のハブ２０、すなわち、リム部材５０を取り付けられていないハブ上に、リム部材５０を取り付ける場合、ユーザは、ハブ２０のニップル部分がリム部材５０のスルーホール５６を通って延びるように、リム部材５０を配置する。次に、ユーザは、リム部材５０のハブ用固定タブ５８をハブ２０中の半円状のカットアウト１００と一直線上に配置する。
【００４７】
次に、ハブ用固定タブ５８がカットアウト１００に入るように、リム部材５０を配置する。次に、ユーザがリム部材５０にねじり力／回転力をかけてハブ２０に対してリム部材５０を第１方向へと動かすと、それにより、各ハブ用固定タブ５８がカットアウト１００を完全に通り過ぎるまで動き、周辺溝１０２の１つに完全に収容される。好ましくは、それぞれのハブ用固定タブ５８は、周辺溝１０２の幅とほぼ等しい厚みを持つか、または、周辺溝１０２の幅よりわずかに小さい厚みを持つ。
【００４８】
次に、ユーザは、固定リング１１０を取り付ける。固定リング１１０は、好ましくは、ゴムまたは変形可能なプラスチックなどの半弾性材料または弾性材料で作られる。固定リング１１０は、中央に配置されたスルーホール１１２を含み、スルーホール１１２中に延びる複数の半円状の追随タブ１１４を持つ。追随タブ１１４は、リム部材５０のハブ用固定タブ５８と同一の大きさと形状を持つが、好ましくは、約２倍の厚さである。既に記載されたようにリム部材５０をハブ２０と係合するようにねじると、固定リング１１０は、追随タブ１１４がカットアウト１００に収容されるように配置される。追随タブ１１４は、好ましくは、カットアウト１００内に収容されると、カットアウト１００を満たし、カットアウト１００に隣接する周辺溝１０２を遮へいするような大きさである。固定リング１１０をハブ２０上で押すと、固定リング１１０はわずかに変形し、リム部材５０の固定リング用固定タブ６０を通り抜ける。リム部材５０は、最終的に固定リング用固定タブ６０を通過すると、通常の形状に戻り、それにより、固定リング用固定タブ６０が固定リング１１０の外側に面する外面１２０を圧迫し、外面１２０中の固定リング用固定タブ６０と相補的なくぼみ１２２に収容される。この様に、固定リング用固定タブ６０は、固定リング１１０を回転しない方法で適所に保持する。
【００４９】
図に示された取替え可能なリム部材５０は単一のパーツであるが、リム部材５０は組み立て品、すなわち、リム部材５０の中央部分に接着、または別の方法で固定される別個の周辺部分からなるものであってもよい。
【００５０】
ヨーヨー１の基本的な組み立てに関して、第一工程は、スプール１２を、車軸ピン１０上の中心に配置される管状スペーサ１４の中央に配置することである。次に、好ましくは、ハブ２０に取り付けられたリム部材により既に完全に組み立てられている側部部分２を、車軸ピン１０に固定する。このことは、車軸ピンの端部がそれぞれの側部部分のハブ２０のスルーボアに入って、次に、各ハブ２０に配置された六角ナット１６にねじ込みで係合するように、側部部分を動かすことによって達成される。
【００５１】
ハブ２０からリム部材５０を取り外すために、ユーザは、固定リング１１０が固定リング用固定タブ６０から係合しなくなるまで、固定リング１１０を押すだけである。そうすれば、固定リングを取り外すことができる。それから、リム部材は、リム部材のハブ用固定タブ５８がカットアウト１００の中心に完全に配置されるまで、第１方向とは反対の第２方向へねじられる／回転させられる。そうすれば、リム部材をハブ２０から滑らして取り外すことができる。
【００５２】
リム部材は、本明細書に記載した形状以外の形状をもってもよいことに注目すべきである。図７は、リム部材１５０の代替形状の一例である。また、図示したヨーヨーは、側部部分のそれぞれに、取替え可能なリム部材を持っている。しかしながら、側部部分の１つだけが取替え可能なリム部材を持ち、側部部分の他方が、単一部分または固定されたリム部材であってもよいのは、本発明の範囲内である。
【００５３】
＜第２実施例＞
次に、図８〜２０を詳細に参照すると、本発明の第２実施例のヨーヨーを符号１００１に示す。
【００５４】
ヨーヨー１００１は、第１側部部分１００２と第２側部部分１００４とを含む。第１側部部分１００２と第２側部部分１００４は、軸構造１００６を介して一体に接続されている。軸構造１００６は、好ましくは、パーツの集合であり、車軸ピン１００８とスプール１０１２とを含む。車軸ピン１００８は、各端部に雄ねじ１０１０と、ヨーヨーの回転軸と共通の直線上の長手方向軸を持つ。スプール１０１２は、車軸ピン１００８の中央部分１０１１上に回転可能に配置されている。車軸ピン１００８の中央部分１０１１は、ピン端部より大きい直径を持つので、車軸ピン１００８はピンの直径が変化する場所に配置された２つの肩１０１４を含む。肩１０１４は、側部部分と接触し、２つの側部部分を互いに間隔をあけた構成で保持するように設計されている。ひもタイプのテザー１０１６は、端部に配置されたループ部分１０１８を含んでおり、当該ループ部分１０１８はスプール１０１２の中央部を取り囲んでいる。ループ部分１０１８は、好ましくは、スプール１０１２の表面で滑らないような二重ループである。通常、テザー１０１６の遠位端部(図示せず)は、通常は、ユーザの指の１つに一時的に固定するために、輪を形成するように結ばれるだろう。
【００５５】
スプール１０１２は、好ましくは、実質的に筒状形状であり、第１端部１０２２と第２端部１０２４を持つ。スプール１０１２の中央は、スルーボア（貫通穴）１０２６を含み、車軸ピン１００８がスルーボア１０２６中に延びている。スルーボア１０２６の直径は、車軸ピン１００８の中央部分１０１１の直径よりわずかに大きく、それにより、スプール１０１２は、車軸ピン１００８上で自由回転が可能である。好適な実施例では、スプール１０１２は、プラスチックあるいは金属などの硬質材料で作られている。スルーボア１０２６を画定するスプール内面は、テフロン（登録商標）、グリースまたはグラファイトなどの潤滑材料、および/または、低摩擦材料によってコーティングされてもよい。
【００５６】
スプール端部１０２２近傍の外面には、周囲を巡るように延びる無限溝１０３０が配置されている。好ましくは、無限溝１０３０中の一部にゴムなどの弾性材料で作られたＯ−リングが配置されている。
【００５７】
ヨーヨーの第１側部部分１００２と第２側部部分１００４のそれぞれは、パーツの集合である。好適な実施例では、２つの側部部分は、異なった内部部品を持つが、各端部で同じ側部部分を持つ軸を持つヨーヨーを作ることもできる。例えば、本発明の第２実施例のヨーヨーは、軸の各端部に側部部分１００２を持つことができるし、あるいはまた、軸は各端部に側部部分１００４を持つことができる。
【００５８】
第１側部部分１００２(図１０〜図１２と図１６〜図１７参照)は、ハブ部分１０３４と本体部分（リム部分）１０３６を含む。すなわち、第１側部部分１００２は、ハブ部分１０３４、本体部分１０３６という２つの主要部分を含んでいる。ハブ部分１０３４は、ハブ１０４０、固定ナット１０４２、バネ１０４４、押しボタン１０４６、複数の平歯車１０４８、主歯車１０５０、および上板１０５２を含む。本体部分１０３６は、本体１０５４とレンズ１０５６を含む。
【００５９】
第２側部部分１００４(図１３〜１７参照)は、ハブ部分１０６０と本体部分１０６２（リム部分）を含む。すなわち、第２側部部分１００４は、ハブ部分１０６０と本体部分１０６２という２つの主要部分を含んでいる。ハブ部分１０６０は、ハブ１０６４、１組のバネ１０６６、２つのアーム１０６８、２つの重り１０７０、上板１０７２、バネ１０７４、固定ナット１０７６、および押しボタン１０８０を含む。本体部分１０６２は、好ましくは、本体部分１０３６と同形状であり、本体１０８２とレンズ１０８４とを含む。
【００６０】
ハブ１０４０は、好ましくは、プラスチックまたは金属などの硬質材料で作られ、内側に面している実質的に平らな内面１０８６を持つ。内面１０８６は、第２側部部分１００４に向かっている。好ましくは、リブ１０８８のスターバースト状に配列したリブ１０８８は、内面１０８６から突出しており、ユーザがヨーヨーを戻そうと操作すると、テザーが内面１０８６と固く係合することができるように機能する。ヨーヨーのテザー係合を容易にするような、表面における他の既知のタイプの改造、例えば、くぼみ、間隔をあけて配置されているパッド/突起物、および高い摩擦係数を持つゴムなどの材料の使用は、表面１０８６に使用してもよいし、またはリブ部材１０８８の代わりに使用してもよい。
【００６１】
ハブ１０４０は、外側に面している外面１０９０を含む。外面１０９０は、第２側部部分１００４から離れる方向に面していて、筒状のニップル部分１０９２を取り囲んでいる。ニップル部分１０９２の対向する側部に２つの平坦な側部表面１０９４が配置されている。ハブ１０４０は、スルーボア１０９６を持ち、スルーボア１０９６は、ニップル部分１０９２を通って延びており、車軸ピンの中心部分１０１１の直径よりわずかに大きい直径を持ち、かつ、ニップル部分１０９２の遠位端部に配置された断面が円形ではない拡張された領域１０９８を含む。また、３つのピン部材１１００が、外面１０９０から外側に延びている。
【００６２】
固定ナット１０４２は、ハブ１０４０のニップル部分１０９２の領域１０９８に適合する。固定ナットの外表面１１０２は、断面が円形ではなく、好ましくは、領域１０９８と形状が相補的であり、領域１０９８と適合し、一旦領域１０９８に配置されると、固定ナットはハブ１０４０に対して回転することができない。好適な実施例では、固定ナット１０４２は、領域１０９８中に圧入されるか、または成形されるか、または超音波溶接されたキャップを使用して領域１０９８内にシールされてもよい。あるいはまた、固定ナット１０４２を固定する他の慣用法を使用してもよい。固定ナット１０４２の内部は、ねじ山が付けられたスルーボア１１０４を含んでおり、当該ねじ山は車軸ピンの端部上に配置されたねじ山と相補的である。図示しないが、固定ナットは、好ましくは、止めナットの方法で機能するナイロンインサートを持つであろう。
【００６３】
バネ１０４４は、ニップル部分１０９２の基部の周りの大きさに適合する。バネ１０４４は、中央に配置されたスルーホール１１０５を持ち、好ましくは、金属あるいはプラスチックの波形ワッシャーの形態である。あるいはまた、コイルばねを含む他の種類の慣用のバネを使用してもよい。
【００６４】
押しボタン１０４６は、ニップル部分１０９２の遠位端部と形が適合する。押しボタン１０４６はプラスチックか金属材料で好ましくは作られている。押しボタン１０４６の内側に面している内面１１０６の中央には、細長いボア１１０８が配置されている。ボアはニップル部分１０９２の端部と相補的な形状を持つ、すなわち、ボアは２つの平らな側部表面１１１０を持つ。押しボタン１０４６がニップル部分１０９２上に配置されると、平らな側面１１１０は、押しボタン１０４６がニップル部分１０９２に対して回転できないようにニップル部分１０９２の側面１０９４の近くに隣接して配置される。押しボタン１０４６には、押しボタンの長手方向軸に垂直な方向に延びているフランジ１１１２を含むことに注目すべきである。複数の歯１１１４が、フランジ１１１２の上面に配置される。
【００６５】
押しボタン１０４６は、主歯車１０５０中の中央開口部１１１６に部分的に形が適合する大きさに作られている。主歯車１０５０は、好ましくは、プラスチックまたは金属などの硬質材料で作られていて、さらに、リング状に配列された複数の歯１１１８を含んでいる。当該複数の歯１１１８は、中央開口部１１１６の近傍であって、内側に面する(ヨーヨーの内部に向かう)内面１１２０に配置されている。歯１１１８は、押しボタン１０４６の歯１１１４と次のような態様で係合できるような大きさ、形状、間隔、角度で作られている。即ち、一旦は係合するが、押しボタン１０４６がなんらかの縦の動きを可能にされている間は、押しボタン１０４６と主歯車１０５０の間で第１の方向に相対的な回転がある場合は、歯１１１８と歯１１１４とがお互いに他方を乗り越えるだろう（歯の上を歯が通過して係合しない）。歯１１１８の角度は、押しボタン１０４６と主歯車１０５０の間で、第１の方向とは反対の第２の方向に、何らか相対的な動きがある場合には、歯１１１８は歯１１１４で固定されるような角度である。主歯車１０５０の周辺部には、別の歯１１２２のリングが配置されている。
【００６６】
主歯車の歯１１２２は、３つの平歯車１０４８の周囲に配置された歯１１２３に係合するような大きさと形状に間隔をあけて作られている。平歯車１０４８は、好ましくは、プラスチックまたは金属などの硬質材料で作られており、それぞれが中央のスルーボア１１２４を含んでいる。平歯車１０４８のそれぞれは、スルーボア１１２４(図１８参照)に適合するハブのピン部材１１００の１つを介してハブ１０４０上に取り付けられる。
【００６７】
上板１０５２は、主歯車１０５０の上に配置されている。上板１０５２の中央は、押しボタン１０４６が延びるスルーホール１１２６を含む。上板１０５２は、３つのスルーボア１１３０を含む。スルーボア１１３０は、ハブ１０４０のピン部材１１００の端部を受けるような大きさ、間隔で作られている。好適な実施例では、ハブ部分１０３４が組み立てられるとき、上板１０５２は、スルーボア１１３０に合うピン部材１１００を介して、ハブ１０４０に対して一直線上に配置される。そのように配置され次第、上板１０５２はハブ１０４０に対して接着または超音波溶接により固定され、好ましくは、ハブ１０４０と上板１０５２が互いに接触する領域のいくつかまたはすべてで、接着または超音波溶接により固定される。超音波溶接を使用する場合、平歯車１０４８は、好ましくは、固定手順の間に、平歯車１０４８が破損する機会を最小にするために、ハブ１０４０または上板１０５２と異なる材料で作られる。また、上述に代えて、ピン部材１１００とスルーボア１１３０との間の取外可能なスナップフィットを介して、または、ピン部材、もしくは、ハブ１０４０および上板１０５２の他の部分に固定する、適切なファスナを通じて、恒久的でない接続が利用されても良い。スルーホール１１２６は、主歯車１０５０の外径より小さい直径を持つので、ハブ１０４０への上板１０５２の固定は、平歯車１０４８と主歯車１０５０を捕捉し、それにより、平歯車１０４８と主歯車１０５０の互いの位置関係を固定する。また、主歯車１０５０の固定は、同様に押しボタン１０４６とバネ１０４４を捕捉してハブ部分１０３４に固定する。
【００６８】
上板１０５２には、周囲に配置された３つの半円状突起物１１３１があることを注目すべきである。ハブ部分１０３４が組み立てられると、各突起物１１３１と、ハブの外側に面している外面１０９０との間の空間という形態で、通路（溝）１１３２(図１７参照)が形成される。それぞれ通路の端部には、上板１０５２の表面によって形成されるストップ１１２８がある。一対の突起物１１３１のそれぞれの間には、開いた領域(図１７参照)という形態で、３つのカットアウト１１３３がある。
【００６９】
前に記載したように、本体部分１０３６は、本体１０５４とレンズ１０５６を含む。本体１０５４は、好ましくは、丸くて、ディスク形状であり、好ましくは、硬質、または実質的に硬質材料、例えば、硬質プラスチック、金属または木で作られている。あるいはまた、本体１０５４は、様々なゴムなどの弾力材料または半弾性材料を含む他の材料で作られているか、硬質パーツ、および/または、硬くないパーツの複合物か集合物でもあり得る。本体の周辺部１１３４は、側部部分のリムを形成する。また、スルーボア１１３５が、本体の中央に配置されている。本体１０５４は、スルーボア１１３５へと突出している３つのタブ１１３６を含む。３つのタブが示されているが、３つより多いまたは少ない数のタブを使用してもよい。３つのタブのそれぞれは、その遠位端部／外側端部上に複数の歯車の歯１１３７を持つ。
【００７０】
レンズ１０５６は、本体１０５４に固定される。レンズ１０５６は、好ましくは、丸く、中央のスルーホール１１３８を持ち、スルーホール１１３８は、押しボタン１０４６がその中に延びることができる大きさに作られている。レンズ１０５６は、好ましくは、本体１０５４の凹部１１３９へのスナップフィットによって、本体に取外可能に固定されている。あるいは代替として、２つの部材を取外可能に接続する他の方法、例えば、ねじ山係合か、あるいはファスナなどを、レンズ１０５６を本体１０５４に接続するために使用してもよい。このレンズ１０５６と本体１０５４との取外可能な接続は、ユーザが側部部分１００２の最終的な重さを増加したい場合に、ユーザが本体１０５４からレンズ１０５６を取り外して重さリング(ワッシャーと同様)などの物を本体内部に挿入することを可能にする。レンズのスルーホール１１３８の近傍に配置される歯１１４０を持つレンズを示したが、歯１１４０はオプションであり、単にレンズ１０５６を第２側部部分１００４のレンズ１０８４と同じようにするために含まれているに過ぎない。あるいはまた代替として、２つの部材を恒久的に一体に固定するために、超音波溶接、接着剤または他の方法によって、レンズを恒久的に本体に接続してもよい。
【００７１】
ここで、第２側部部分１００４について記載する。前に記載したように、第２側部部分１００４は、ハブ１０６４を特徴とするハブ部分１０６０を含む。ハブ１０６４は、好ましくは、プラスチックまたは金属などの硬質材料で作られていて、中央に配置されたスルーボア１１４１と内側に面している実質的に平らな内面１１４２をもつ。内面１１４２は、第１側部部分１００２の方向に面している。好ましくは、リブ１１４４のスターバースト形状のアレイは、内面１１４２から突出しており、ユーザがヨーヨーを操作して戻そうとするとき、テザーが内面１１４２としっかり係合することが簡単にできるように機能する。ハブ１０６４は、また、外側に面している外面１１４６を含み、外面１１４６は、第１側部部分１００２から離れる方向に面しており、２つの外側に延びているピン１１４８と、３つの筒状ピン１１５０と、２つの小さい高い領域１１５２と、２つの大きな高い領域１１５４と、２つの長楕円形の溝１１５６と、２つの比較的細長い溝１１６０を含む。表面１１６４、１１６６と１１６８(図１６参照)は、上板１０７２をハブ１０６４に固定するとき、形成された通路１１７０に対する側壁として機能するだろう。高い領域は、通路１１７０の端部を画定する平らな表面という形態で、３つのストップ１１６２を形成する。
【００７２】
２つのアーム１０６８はそれぞれ、金属またはプラスチックなどの硬質材料で作られた細長い部材である。円形開口部１１７４が、それぞれのアームの一端部に配置されている。円形開口部１１７４は、確実に固定する方法で重り１０７０の１つを収容するように設計されている。スルーボア１１７６は、各アーム１０６８の他端部に配置されている。スルーボア１１７６は、ハブ１０６４(図１５と図１９参照)のピン１１４８と相補的となる大きさであるが、ピン１１４８よりもわずかに直径が大きいように作られている。アーム１０６８が、スルーボア１１７６を通って延びるピン１１４８でハブ上に配置されると、アームは、重り１０７０の１つを持つそれぞれのアームの端部がハブ中で長楕円形の溝１１５６に隣接して動くように、回転できる。バネ１０６６の一端中に収容されるように設計されたピン１１８０が各アームの中間ポイントに配置されていることに注目すべきである。第１側部部分を組み立てると、バネ１０６６は、ハブ中の溝１１６０に捕捉されるだろう。また、凹面１１８２が、それぞれのアームのピン１１８０と対向する位置上に配置されている。当該凹面１１８２は、複数の歯１１８３を特徴とし、スプールのＯ−リング１０３２に対して相補的な形状である。側部部分を組み立てるとき、歯１１８３がＯ−リング１０３２を係合することができるように配置されるだろう。
【００７３】
各バネ１０６６は、好ましくは、金属またはプラスチック材料で作られているコイルばねである。他のコイルばねと同様に、バネ１０６６は、各端部で円形開口部を持つ。
【００７４】
各重り１０７０は、好ましくは、金属材料で作られていて、筒状形状である。固定を容易にするために、各重りの側面は、アームの開口部１１７４の１つの相補的な内面に適合するように設計されたステップ１１８５を含む。
【００７５】
上板１０７２が、アーム１０６８の外側に配置される。上板１０７２は、車軸ピンの直径より大きい直径を持つ、中央のスルーボア１１８４を持つ。この様に、ヨーヨーを組み立てるとき、車軸ピンの肩１０１４は、固定ナット１０７６に接触して、車軸ピン上における、第２側部部分１００４の内側への移動を限定するだろう。スルーボア１１８４の外側の部分１１８６は、直径が増加しており、かつ、断面円形でない輪郭を持つことに注目すべきである。また、上板１０７２は、３つの小さなスルーボア１１８８を含む。各スルーボア１１８８は、ハブのピン１１５０の外径に相補的な直径を持つ。ハブ部分を組み立てるとき、ピン１１５０は、スルーボア１１８８に適合してハブ上に上板１０７２を一直線上に適切に配置する。
【００７６】
上板１０７２が、上板の内部に面している内面１１９４に、２つの長方形の溝１１９０を含むことに注目すべきである。上板１０７２がハブ１０６４に固定されるとき、重り１０７０は、溝１１９０内に部分的に配置されるか、溝１１９０に隣接する。
【００７７】
また、３つの半円状突起物１１９３が上板１０７２の周辺部に配置されることに着目すべきである。これらの半円状突起物１１９３のそれぞれの内側に面している内面１１９４は、上板１０７２がハブ１０６４に固定されるときに形成される通路１１７０の側壁を形成するだろう。ハブ１０６４上において、表面１１６４、１１６６と１１６８は、通路１１７０の対向する側壁を形成する。一対の突起物のそれぞれの間には、カットアウト１１９５がある。カットアウト１１９５は、本体のタブ１２１１が通路１１７０(図１７参照)の１つに入る前に通過することができる開いた領域である。
【００７８】
上板１０７２の外側に面している外面１１９６上には、外側に延びるニップル部分１１９８が配置されている。ニップル部分１１９８は、円柱状ではない本体を有し、ニップル部分の対向する側部上に平面１１９９が配置されている。また、外面１１９６上には、３つのフック１２００が配置されている。各フック１２００は、好ましくは、わずかに可撓性がある程度に十分に薄く、かつ、「Ｌ」字形状の端部１２０１を持つ。
【００７９】
固定ナット１０７６は、上板１０７２のスルーボア１１８４の外側の部分１１８６に適合している。固定ナット１０７６は、好ましくは、固定ナット１０４２と同じであり、ねじ山のある中央スルーボア１２０２を持つ。固定ナット１０７６の外部表面は、好ましくは、外側の部分１１８６の円形でない輪郭に相補的である。それによって、固定ナット１０７６が外側の部分１１８６中にあるとき、固定ナット１０７６は上板に対して回転できない。好適な実施例では、固定ナット１０７６は外側の部分１１８６に圧入されるか、外側の部分１１８６とともに成形されるか、あるいは、超音波溶接のキャップを使用して外側の部分１１８６内にシールされる。あるいはまた代替として、固定ナットを固定する他の慣用法を使用してもよい。図示しないが、固定ナットは、好ましくは、固定ナットが止めナットの方法で機能するナイロンインサートを持つだろう。ヨーヨーを組み立てるとき、固定ナットの内部のねじ山は、車軸ピンのねじ山１０１０とねじ込みで係合するだろう。
【００８０】
押しボタン１０８０は、ニップル部分１１９８上に回転しないように配置されている。押しボタン１０８０は、フランジ部１２０４と、２つの対向する平らな表面１２０７を持つ非円形の中央ボア１２０６とを含む。中央ボア１２０６の形状は、ニップル部分１１９８の円形でない外表面の輪郭に相補的であり、それにより、ハブ部分を組み立てるとき、表面１２０７がニップル部分１１９８の隣接する表面の近くに配置され、押しボタン１０８０はニップル部分１１９８に対して回転することができないであろう。歯車の歯１２１０のリングは、押しボタン１０８０のフランジ部に配置され、外側に面している。
【００８１】
バネ１０７４が、押しボタン１０８０と上板１０７２の間にはさまれていることに注目すべきである。好ましくは、バネ１０７４は、バネ１０４４と同じであり、可撓性の金属またはプラスチック材料で作られていて、波形ワッシャーの形態である。代わりに、コイルばねなどの他のバネの形態を使ってもよい。
【００８２】
押しボタン１０８０が上板１０７２に固定されると、バネ１０７４は、ニップル部分１１９８上に配置され、次に、ニップル部分１１９８は、表面１１９９と表面１２０７が並列した状態で、押しボタン１０８０の中央ボア１２０６中に挿入される。次に、押しボタン１０８０は、ニップル部分１１９８上で、押しボタンのフランジ部１２０４がフック１２００の端部１２０１と接触するポイントまで押される。それから、押しボタン１０８０は、ニップル部分１１９８上でさらに動かされ、それにより、フック１２００が外側に動き、次に、フックの端部がフランジ部を超えると、フック１２００がスプリングバックし、端部１２０１はフランジ部の外部表面１２０７と係合する。この様に、フック１２００は、押しボタンを上板１０７２上に保持し、一方、バネ１０７４は、押しボタン１０８０を上板１０７２から離れる外側方向に付勢している。
【００８３】
ハブ部分が完全に組み立てられ、ハブ１０６４と上板１０７２が、上板のスルーボア１１８８に適合するハブのピン１１５０によって適切に配置されるとき、ハブと上板は、好ましくは、超音波溶接または接着剤などの恒久的に固定する方法で一体に固定される。あるいはまた、代替としてハブと上板は、ピン１１５０とスルーボア１１８８の間のスナップフィット係合によって、または、ファスナ(図示せず)の使用によって、取外可能に係合させられ得る。
【００８４】
第２側部部分１００４の本体部分１０６２は、本体１０８２とレンズ１０８４を含んでいる。本体１０８２は、好ましくは、中央に配置されたスルーボア１２０８を含む第１側部部分１００２の本体１０５４と同じである。本体１０８２は、歯１２１２を持つ３つのタブ１２１１(図１７参照)を持つ。第２側部部分１００４は、第１側部部分１００２で使用されるのと同じ固定方法を使用しないので、歯１２１２はオプションである。レンズ１０８４が、本体１０８２に固定されている。レンズ１０８４は、好ましくは、レンズ１０５６と同じであり、好ましくは、レンズ１０５６を本体１０５４に固定するために使用するのと同じ方法で本体１０８２に固定される。レンズ１０８４は、第２側部部分が完全に組み立てられるとき、押しボタン１０８０が延びる中央開口部１２１６を囲む歯１２１４のリングを含んでいる。歯１１４０は、レンズ１０５６では必要でないが、一方、歯１２１４は、押しボタンの歯１２１０と係合するために第２側部部分１００４中で使用されることが注目される。歯１２１４と歯１２１０とは、次のようになるような形状、大きさ、及び角度で作られている。即ち、歯１２１４と歯１２１０が互いに係合している場合でも、本体部分１０６２がハブ部分１０６０に対して相対的に第１方向に回転し、押しボタン１０８０がバネ１０７４をわずかに圧縮することによって縦方向に動くことが可能であると、歯１２１４は歯１２１０の上を乗り越える（歯の上に歯が通過して係合しない）。しかしながら、歯１２１０と歯１２１４との角度付けは、ユーザがハブ部分１０６０に対して本体部分１０６２を反対方向の第２の方向に回転しようとした場合には、歯同士を一体に固定するだろう。ヨーヨーが組み立てられて、押しボタン１０８０をユーザが押し込むとき、押しボタン１０８０はバネ１０７４を圧縮して、歯１２１４が歯１２１０に接触しないような程度まで動き、それにより、ハブ部分に対して本体部分１０６２が第２方向へ回転するのを可能にするであろう。
【００８５】
ヨーヨー１００１を組み立てるために、車軸ピン１００８がスプール１０１２のスルーボア１０２６を通って延びている状態で、Ｏ−リング１０３２をスプールの溝１０３０中に配置し、スプール１０１２を車軸ピン１００８の中央部分１０１１上に配置する。次に、完全に組み立てられたハブ部分１０３４を車軸ピン上の片端に配置し、回転し、それによって、車軸ピンのねじ山１０１０をナット１０４２の内側ねじ山と係合する。ユーザは、車軸ピンの肩１０１４がナット１０４２に接触するまで、ハブ部分を回転させ続けるだろう。
【００８６】
次に、完全に組み立てられた本体部分１０３６をハブ部分１０３４に固定する。ユーザは、押しボタン１０４６が本体部分のレンズ１０５６中のスルーホール１１３８を通って延びるように、本体部分１０３６を配置する。同時に、ユーザは、タブ１１３６がハブ表面１０９０の周辺部を圧迫するまで、本体１０５４のタブ１１３６をハブ部分のカットアウト１１３３を通過して動かす。次に、ユーザは、本体部分１０３６にねじり力/回転力をかけて、本体部分１０３６をハブ部分１０３４に対してタブ１１３６が通路１１３２中に移動する方向（第１方向）に回転させて動かす。その結果、本体部分１０３６は、本体部分のタブ１１３６のそれぞれがハブ部分のカットアウト１１３３を完全に通過するまで移動し、次に、通路１１３２の１つ中に完全に収容されるまで回転移動する。好ましくは、各タブ１１３６は、通路１１３２の幅よりわずかに少ない厚みを持つ。
【００８７】
ユーザがハブ部分１０３４に対して本体部分１０３６を第１方向へ回転したとき、タブの歯１１３７は、平歯車１０４８の歯１１２３に係合して平歯車１０４８を回転させることに注目すべきである。平歯車１０４８が回転すると、歯１１２３が主歯車１０５０の歯１１２２と係合して、主歯車１０５０を回転させる。押しボタンの歯１１１４及びこれに係合する主歯車の歯１１１８の角度付けが原因で、押しボタンの歯１１１４は、主歯車の回転を止めることはない。その代わりに、押しボタン１０４６は、バネ１０４４の圧縮によりわずかに前後に移動する。この様に、本体部分１０３６が第１方向に回転すると主歯車の歯１１１８が押しボタンの歯１１１４上に乗る（歯の上に歯が通過して係合しない）ので、クリック音が出るだろう。本体部分の回転は、本体１０５４のタブ１１３６が上板１０５２のストップ１１２８に接触するまで続けられる。このポイントで、本体部分１０３６はハブ部分１０３４上に完全に取り付けられる。押しボタンの歯１１１４の角度付けにより、押しボタンの歯１１１４は主歯車の歯１１１８を一方向にのみ移動することを許すことに注目すべきである。押しボタンの歯１１１４は、逆方向への主歯車の歯１１１８の動きを止め、それにより、本体部分１０３６がハブ部分１０３４から離れるような逆方向（第１方向と反対の第２方向）に不注意に回転することを防ぐ。
【００８８】
ハブ部分１０３４からの本体部分１０３６の取り外しは、非常に迅速かつ簡単である。ユーザは、押しボタンの歯１１１４を主歯車の歯１１１８から外れるまで押しボタン１０４６を押し込むだけである。いったん外れると、ユーザは、本体部分１０３６を第２方向に自由に回転することができ、それにより、本体１０５４のタブ１１３６は、上板１０５２のストップ１１２８の位置から離れて、ハブ部分のカットアウト１１３３の中心に位置するまで移動する。次に、本体部分１０３６は、ハブ部分１０３４から自由に取り外すことができる。
【００８９】
ヨーヨー１００１の第２側部部分１００４は、本体部分１０３６をハブ部分１０３４に接続する前後に、車軸ピン１００８に接続してもよい。
【００９０】
完全に組み立てられたハブ部分１０６０を車軸ピン１００８に固定するために、ユーザは、車軸ピンの外側のねじ山１０１０が上板１０７２内に配置された固定ナット１０７６のねじ山と係合するまで、車軸ピンの端部をハブ１０６４のスルーボア１１４１中に配置する。ハブ部分１０６０を、車軸ピンの肩１０１４が固定ナット１０７６に接触するまで回転する。ハブ部分１０６０は、ここで、車軸ピンに固定される。
【００９１】
本体部分１０６２は、ここで、押しボタン１０８０の端部を本体部分のレンズ１０８４中の開口部１２１６を通して配置することによって、ハブ部分１０６０に固定される。同時に、ユーザは、本体１０８２のタブ１２１１をハブ部分のカットアウト１１９５を通過するように移動させる。いったんタブ１２１１がハブの表面１１６４、表面１１６６、および表面１１６８を圧迫すると、ユーザは、次に、ねじり力/回転力を本体部分１０６２にかけて、タブ１２１１のそれぞれが通路１１７０の１つの中に移動して、ストップ１１６２の１つに接触するまで、ハブ部分１０６０に対して本体部分１０６２を第１方向へと動かす。好ましくは、各タブ１２１１は、通路１１７０の幅よりわずかに少ない厚みを持つ。
【００９２】
ユーザが本体部分１０６２を第１方向へと回転したとき、レンズ中の歯１２１４は、歯１２１０と歯１２１４の角度付けにより、押しボタン１０８０の歯１２１０と接触し、乗り越える（歯の上を歯が通過して係合しない）ことに注目すべきである。１セットの歯が他方のセットの歯の上に乗り越えるとき、クリック音が発生するであろう。いったんタブ１２１１がストップ１１６２にぶつかると、歯１２１０の同じ角度付けが、歯１２１０と歯１２１４を一体に固定するのを可能し、それにより、本体部分１０６２は、タブ１２１１がストップ１１６２から離れる方向に動くような、逆方向（第１方向とは反対の第２方向）には移動することができない。このポイントで、本体部分１０６２は、ハブ部分１０６０上に固定される。
【００９３】
ハブ部分１０６０からの本体部分１０６２の取り外しは、非常に迅速でかつ簡単である。ユーザは、押しボタンが、押しボタン１０８０の歯１２１０がレンズの歯１２１４から外れるほど十分に内側に動くまで、バネ１０７４を圧縮しつつ押しボタン１０８０を押すだけである。いったん外れると、ユーザは、本体部分のタブ１２１１が上板１０５２のストップ１１６２から離れる方向（第２方向）に、本体部分１０６２を自由に回転することができる。本体部分１０６２を回転し、タブ１２１１を上板１０５２のカットアウト１１９５の中心に配置すると、次に、本体部分１０６２をハブ部分１０６０から自由に取り外すことができる。
【００９４】
いったん完全に組み立てられると、ヨーヨーは、自動的に戻るヨーヨーの通常の方法で作動する。ヨーヨーを高速度で回転すると、遠心力/求心力が、重り１０７０に作用し、アーム１０６８がスプール１０１２から離れる方向に移動する。アーム１０６８がスプールから離れる方向に移動すると、アームの歯１１８３は、スプールのＯ−リング１０３２に接触しなくなる。そのポイントで、スプールは、車軸ピン上で自由に回転し、それにより、ヨーヨーは、テザー１０１６の端部で「スリープ」することができるであろう。ヨーヨーが減速するとき、圧縮されたバネ１０６６によって印加される力は、半径方向の遠心力/求心力に打ち勝って、アーム１０６８を内側に押すように作用し、そこで、アームの歯１１８３は、もう一度Ｏ−リング１０３２に係合する。十分強い係合がいったん起こると、アームは、スプール１０１２をハブ１０６４に固定する。これは、テザーのループ部分１０１８を回転する側部部分に効率的に固定し、それにより、テザーをスプールの周りに巻き取り、ヨーヨーをユーザの手に戻す。
【００９５】
異なる形状、重り、および/または、他の特性を持つ他の本体部分を本体部分１０３６と本体部分１０６２のために代用してもよいことに注目すべきである。図２０は、本発明の第２実施例の変形のヨーヨー１３００を示す。図２０では、ヨーヨーの２つの同じ本体部分１３０２は、２つのハブ部分１３０４から取り外している。ハブ部分１３０４は、好ましくは、ヨーヨー１００１のハブ部分１０３４と同じである。したがって、ユーザは、ヨーヨー１００１の本体部分１０３６と本体部分１０６２の代わりに、本体部分１３０２を使うことができる。異なる形状、および/または、重り、および/または、他の特性、例えば、光または音の発生器などの内部コンポーネントを持つ他のハブ部分を、ヨーヨー１００１とヨーヨー１３００のハブ部分と代用してもよいことに注目すべきである。
【００９６】
また、第２側部部分１００４における本体部分をハブ部分に固定するシステム、すなわち、レンズの歯が押しボタン上に配置した歯と係合するようなシステムは、平歯車と主歯車を使用する側部部分の代わりに、側部部分１００２で使用することができることに注目すべきである。あるいはまた、代替として第２側部部分１００４で使用されている本体部分をハブ部分に固定するシステムは、前に記載したシステムの代わりに側部部分１００２で使用することができる。さらに、タブは、本体部分の一部として示され、通路はハブ部分に組み込まれているが、これらのエレメントの位置を逆にすることができる。ハブ部分に対して本体部分を配置して固定するために使用される第２側部部分１００４ごとに１つの固定装置とともに、タブをハブ部分の周辺部に配置することができ、通路を本体部分の内部ボア中に配置することができる。
【００９７】
また、本明細書で使用される通路は、溝またはスロットであると考えてもよい。また、本明細書に使用されるカットアウトは、開口部であると考えてもよい。
【００９８】
本明細書に開示される発明の好適な実施例は、読者が本発明の新しい態様に精通するように記載した。本発明の好適な実施例を図示して記載したが、当業者は、以下の特許請求の範囲に記載されたような本発明の趣旨と範囲から逸脱せずに、多くの変更、修正、および変形をなしえる。
【００９９】
本発明は、例示の実施例を参照して記載されるが、本発明は、開示された例示の実施例に限定されないことが理解される。以下の特許請求の範囲は、そのようなすべての変形、および等価な構成と機能を含むような最も広い解釈と一致している。
【図１】
2010284533.tif 000003
【図２】
2010284533.tif 000004
【図３】
2010284533.tif 000005
【図４】
2010284533.tif 000006
【図５】
2010284533.tif 000007
【図６】
2010284533.tif 000008
【図７】
2010284533.tif 000009
【図８】
2010284533.tif 000010
【図９】
2010284533.tif 000011
【図１０】
2010284533.tif 000012
【図１１】
2010284533.tif 000013
【図１２】
2010284533.tif 000014
【図１３】
2010284533.tif 000015
【図１４】
2010284533.tif 000016
【図１５】
2010284533.tif 000017
【図１６】
2010284533.tif 000018
【図１７】
2010284533.tif 000019
【図１８】
2010284533.tif 000020
【図１９】
2010284533.tif 000021
【図２０】
2010284533.tif 000022